(57)【要約】      （修正有）【課題】極めて簡単で安価な構成により、長柄の先端に塗装ローラーを取り付けて塗装するとき、長柄を操作する作業者の手元から遠く離れた個所の塗装中にぼた落ちする塗料や飛び散る塗料を長柄の先端の近傍で受け止めることにより、部屋内の家具などを養生用シートで覆って保護するという塗装前の準備工程を不要なものとする養生具付長柄塗装装置を提供する。【解決手段】塗装ローラーの作動範囲より広い面積の塗料受け面および長柄の先端部分を移動および回転可能に止着する長柄支持部を有して、軽量の素材で皿状に形成された塗料受けと、長柄と、長柄の先端に着脱自在に取り付けられる塗装ローラーと、塗料受け面より広い面積および長柄挿通孔を有する養生用シートとを組み合わせた。【選択図】図３
0003172622.tif 000002
【実用新案登録請求の範囲】
【請求項１】
塗装ローラーの作動範囲より広い面積の塗料受け面および長柄の先端部分を移動および回転可能に止着する長柄支持部を有して、軽量の素材で皿状に形成された塗料受けと、前記長柄と、該長柄の先端に着脱自在に取り付けられる塗装ローラーと、前記塗料受け面より広い面積および長柄挿通孔を有する養生用シートとの組み合わせから成る養生具付長柄塗装装置。
【請求項２】
塗料受け面を主面の先端に副面が接続された略長方形状のものとし、長柄支持部を塗料受けの後端部に設けてそれに長柄挿通孔を穿ち、該長柄挿通孔の軸心の角度を、塗装ローラーを取り付けた長柄を長柄支持部に止着したときに、塗装ローラーが塗料受け面の略中央の上方に位置するような角度にしたことを特徴とする請求項１に記載の養生具付長柄塗装装置。
【請求項３】
塗料受け面の副面を主面に、上向きに０度から１８０度までの所定角度に傾倒可能に、接続するように構成したことを特徴とする請求項２に記載の養生具付長柄塗装装置。
【考案の詳細な説明】
【技術分野】
【０００１】  本考案は、長柄の先端に取り付けた塗装ローラーによって塗装する際に生じる、塗料のぼた落ちや飛散を防ぐ塗装装置に関する。
【背景技術】
【０００２】  塗装ローラーによる塗装作業において、塗装中に塗料のぼた落ちや飛散が生じるのは不可避のことであるから、通常は、例えば部屋の天井の塗装であれば、四囲の壁、床および部屋の中の家具等を養生用シートで覆って、それらを防護したうえで塗装を開始しなければならなかった。それには、多数の養生用シートを準備しなければならないし、防護の作業に多大の労力と時間を必要とした。
そこで、この問題を解決した先行技術に、前記の多数の養生用シートを不要とした特許文献１がある。【０００３】  この先行技術は、塗装ローラーの把手に、塗装中に生じる塗料のぼた落ちや飛散を受け止める塗料受けを取り付けるようになっているため、作業者は必ず塗装個所の近くに体を寄せて塗装作業をしなければならないものであった。たとえば、高い天井を塗装するときなどは、床面に立ったままで前記の塗装用養生具を用いることはできず、それを用いようとする際には、脚立や梯子などに乗り天井の近くに身を置いて塗装作業を行う必要があった。
【先行技術文献】
【特許文献】
【０００４】
【特許文献１】  実用新案登録第３１７０５４６号
【考案の概要】
【考案が解決しようとする課題】
【０００５】    本考案の技術課題は、極めて簡単で安価な構成により、長柄の先端に塗装ローラーを取り付けて塗装するとき、長柄を操作する作業者の手元から遠く離れた個所の塗装中にぼた落ちする塗料や飛び散る塗料を長柄の先端の近傍で受け止めることにより、塗装を始める前に部屋内の家具などを養生用シートで覆って保護するという準備工程を不要なものとするとともに、作業者の手元から遠く離れた個所における長柄を用いた塗装作業を現場の状況に合わせて行い易くし、さらに、塗装の全工程における塗料のぼた落ちや飛散をも防ぐことができるようにすることにある。
【課題を解決するための手段】
【０００６】  本考案は、極めて簡単で安価な構成により、長柄の先端に塗装ローラーを取り付けて塗装するとき、長柄を操作する作業者の手元から遠く離れた個所の塗装中にぼた落ちする塗料や飛び散る塗料を長柄の先端の近傍で受け止められるようにするため、次の手段を採用した。
塗装ローラーの作動範囲より広い面積の塗料受け面および長柄の先端部分を移動および回転可能に止着する長柄支持部を有して、軽量の素材で皿状に形成された塗料受けと、前記長柄と、該長柄の先端に着脱自在に取り付けられる塗装ローラーと、前記塗料受け面より広い面積および長柄挿通孔を有する養生用シートとを組み合わせた。【０００７】  本考案は、作業者の手元から遠く離れた個所における長柄を用いた塗装作業を現場の状況に合わせて行い易くするため、特に次の手段を採用した。
塗料受け面を主面の先端に副面が接続された略長方形状のものとし、長柄支持部を塗料受けの後端部に設けてそれに長柄挿通孔を穿ち、該長柄挿通孔の軸心の角度を、塗装ローラーを取り付けた長柄を長柄支持部に止着したときに、塗装ローラーが塗料受け面の略中央の上方に位置するような角度にした。【０００８】  本考案は、塗装の全工程における塗料のぼた落ちや飛散を防ぐことができるようにするため、特に次の手段を採用した。
塗料受け面の副面を主面に、上向きに０度から１８０度までの所定角度に傾倒可能に、接続するように構成した。
【考案の効果】
【０００９】  請求項１に記載の考案によれば、次の効果が奏される。なお、以下わかり易いよう、各部分には添付図面に用いた符号を添えて説明する。
塗料受け１は軽量の素材でできているから、塗装ローラー３とともに軽々と持ち上げられる。長柄２はその先端部分が塗料受け１の長柄支持部５に移動および回転可能に止着されているから、長柄２の先端の塗装ローラー３を任意の高さにしたりローラー３の軸心を任意の方向に向けたりすることができる。そして、最適の高さと向きに調節された塗装ローラー３によって、塗装中にぼた落ちする塗料や飛び散る塗料を長柄２の先端の近傍で完全に受け止めることができるようになる。前記の塗料は、塗料受け面４より広い面積の養生用シート７内に落ちて皿状の塗料受け１内に蓄積されるから、その養生用シート７を塗料ごと取り外し新しい養生用シート７を塗料受け１に再び乗せるだけで、次の新しい塗装作業が始められる。【００１０】  したがって、塗装を始める前に部屋内の家具などを多数の養生用シートで覆って保護するという準備工程を不要なものとすることができる。
更に、塗装ローラー３は、長柄２の先端に着脱自在に取り付けられているから、塗装がすんだらそれを取り外し清掃し分解した状態で保管しておくこともできる。また、塗装個所の場所や性質等に応じて最適なサイズや機能等をもつ塗装ローラー３を選択し、それを長柄２の先端に取り付けて不適当なローラーと取り換えることなども簡単にできる。【００１１】  塗装作業においては、塗装面たとえば高い天井などに対する塗装は、一般に、作業者が長柄を斜めに支えてその先の塗装ローラーを天井に横向きに当接させ前後に往復摺動させる（換言すれば、ローラーの軸心を摺動方向に対して直角に保ちながら天井面上を往復させる）ようにしたほうがよく、塗装作業が容易に完遂される。塗装面が目視し易いしローラーも前後に動かし易いからである。【００１２】  請求項２に記載の考案によれば、塗料受け１の後端部の長柄挿通孔５が塗装受け面４に対し一定の角度をもっているから、塗装ローラー３を止着した長柄２を前記長柄挿通孔５に挿通すると、長柄２の軸心と塗料受け１とは側面視で一定の角度をもって配置されることになる。そのとき、塗装ローラー３は塗装受け１の上方に位置している。長柄２の先端部分は長柄支持部５に対し移動および回転可能になっているから、作業者は長柄２を操作して、塗装ローラー３の高さやローラー３の軸心の方向を変え、ローラー３が当該個所の塗装に最適の位置を保持するよう、長柄２を長柄支持部５に止着することができる。なおこの最適な位置が保持されなくとも塗装ができることは言うまでもない。【００１３】  （通常の天井の塗装における）前述した塗装ローラー３の「最適の位置」とは、略長方形の塗装受け面４が天井面と略平行になりその長手方向がローラー３の摺動方向と一致し、塗料受け面４の略中央の上方に塗装ローラー３が位置し、そのローラー３の軸心が摺動方向に対し直角になっているような位置をいう。各部分がそのような位置関係にあるとき、天井に接しながら往復摺動する塗装ローラー３からぼた落ちしたり飛散したりする塗料は、塗料受け１に最も効果的に受け止められる。【００１４】  塗装は、通常、塗料缶に塗装ローラーを差し込んで塗料をローラーの周りに付着させ、それを缶から引き上げて開始されるが、ローラーを引き上げる際や塗装個所にもっていく途中においてローラーから塗料がぼた落ちし床面などを汚してしまう場合がある。あるいはまた、垂直の壁などを塗装する際も塗料が下に垂れ落ちて床を汚してしまうことがある。【００１５】  請求項３に記載の考案によれば、塗料受け面４の副面４２が主面４１に対し上向きに０度から１８０度までの角度に自在に傾倒できるように接続されているから、前述のような場合に、それぞれの状況に応じて副面４２を上向きの最適な角度に傾けておき、落ちてきた塗料を副面４２ですべて受け止めるようにすることができる。たとえば、塗装ローラー３を缶８から引き上げる際には第３図（ａ）に示すように、そして垂直の壁などを塗装する際には第３図（ｃ）に示すように、副面４２を僅か上向きに傾けておく。傾ける角度の大きさは、作業者が現場の状況に応じて決定する。
また、塗装場所に向かう際や保管の際など、副面４２を１８０度傾倒させ主面４１に折り重ねれば塗料受け４の面積が少なくなり、持ち運びや保管が便利になる。
【図面の簡単な説明】
【００１６】
【図１】は本考案の実施例の各部分を示し、（ａ）は長柄２と塗装ローラー３の斜視図、（ｂ）は養生用シート７の斜視図、（ｃ）は塗料受け面４の底板９の斜視図、（ｄ）は塗料受け１を形成する塗料受け枠１０の斜視図、（ｅ）は長柄支持部５の拡大正面図、（ｆ）は長柄支持部５の拡大側面図である。
【図２】は組み立て後の本考案品の全体像を示す側面図である。
【図３】は本考案品の使用状態を示し、（ａ）は塗料ローラー３を塗装缶８に差し込んだときの概念図、（ｂ）は部屋の天井を塗装しているときの概念図、（ｃ）は部屋の壁を塗装しているときの概念図である。
【実施例】
【００１７】  以下添付図面に従って本考案の一実施例について説明する。
塗料受け１は、図１の（ｄ）の塗料受け枠１０に（ｃ）の塗料受け底板９を載置することによって構成される。塗料受け１は両者を一体的に形成することもできるが、両者を別の素材とし、塗料受け枠１０をアルミその他の軽くて丈夫で安価な素材とすれば製作も容易で経済的である。【００１８】  塗料受け底板９には、軽くて透明な素材が望ましい。そして、塗料受け枠１０に簡単に取り付け取り外しができるように、例えば枠１０に両面テープで接着する。
そのようにしておけば、作業者が枠１０の上に養生用シートを載せずに塗装を始めたり養生用シートが破れたりしたときなど、落ちてきた塗料を底板９で受け止め床などの汚染が防止できる。一般に用いられる塗料にはシンナー系のものが多いから、底板９の素材としては、シンナー系塗料に触れても変形や変質しないものが望まれる。【００１９】  上述の塗料受け１に養生用シート７を載せ、好ましい方法としては、粘着層１５を塗料受け枠１０に接触させ、養生用シート７が枠１０の上で妄りに動かないようにする。
養生用シート７には、透明で安価なサランラップ（登録商標）やビニールなどの薄い透明シートなどが用いられる。
塗料受け底板９と養生用シート７を透明な素材としたときは、天井などの塗装中、塗料受けおよび養生用シート３を透かして塗装の状態などを下から見ながら塗装を連続的に円滑に行うことができるようになる。【００２０】  本考案に係る養生具付長柄塗装装置は、次のようにして組み立てられる。
長柄２を、前記の塗装受け１の下方から、長柄挿通孔６、塗料受け底板９の挿通孔１２、養生用シート７の挿通部１１の順に差し込み、長柄２の先端部分を養生用シートの上面に露出させる。次いで、その長柄２の先端部分に塗装ローラー３を取り付け両者を一体化する。図１（ａ）では長柄２に塗装ローラー３の把手を捻じ込む具体例を示したが、これに限ることはない。
あるいはまた、先端部分に塗装ローラー３を取り付けた長柄２を、前記の塗装受け１の上方から、養生用シート７の挿通部１１、塗料受け底板９の挿通孔１２、長柄挿通孔６の順に差し込むこともできる。
最後に、前述したとおり、長柄２を操作しその先端部分を塗料受け１に対して移動させたり回転させたりしながら、塗装ローラー３の高さやローラー３の軸心の方向を変え、ローラー３が当該個所の塗装に最適の位置を保持するよう、長柄２を長柄支持部５に止着する。具体的にいうと、略長方形の塗装受け面４が天井面と略平行になりその長手方向がローラー３の摺動方向と一致し、塗料受け面４の略中央の上方に塗装ローラー３が位置し、そのローラー３の軸心が摺動方向に対し直角になるように調節してから、長柄２の先端部分を蝶ネジ１３（図１（ｅ）および（ｆ）を参照。）により長柄支持部５にネジつけて固定し、塗料受け１と長柄２と塗装ローラー３の三者を一体化する。その全体像は図２に示されている。【００２１】  塗装ローラー３は、塗料受け面４の略中央の上方に位置するように設定するが、ローラー３を前方に急速に動かすとき、塗料はローラーの直下よりもやや後方に垂れ落ちがちになる。そのような場合には、ローラー３を略中央よりも少し前方に位置させてから、長柄２を長柄支持部５に止着する。
なお、如上の止着を行うときに他の慣用手段を用いてもよいことは言うまでもない。【００２２】  塗料受け面４の副面４２は、主面４１に対し、上向きに０度から１８０度までの角度をとり、一定の位置で停止できるように接続する。その推奨される具体的手段として、蝶ネジ１４で締め付けたり緩めたりする例を図１（ｄ）に示す。
前記の「一定の位置」は、通常の作業では上向きに２０度から３０度くらいとなる。
図３に示すように、作業の能率上、この角度はあまり変えず、終始一定のままで作業するが、垂直な壁などを塗装するときは、注意を要する。図３（ｃ）に示す壁の上部を塗装するときはその角度を変えなくともよいが、壁の下部を塗装するときは、角度を変えないと副面４２の先端が壁から離れ、落ちてくる塗料を受け止められなくなってしまう。そのようなときには、角度を０度に近づけるよう蝶ネジ１４を緩めて副面４２の先端が壁に接するように調節する。
【符号の説明】
【００２３】１    塗料受け
２    長柄
３    塗装ローラー
４    塗料受け面
４１  塗料受け面の主面
４２  塗料受け面の副面
５    長柄支持部
６    長柄挿通孔
７    養生用シート
８    塗料缶
９    塗料受け底板
１０  塗料受け枠
１１  養生用シートの挿通部
１２  塗料受け底板の挿通孔
１３  蝶ネジ
１４  蝶ネジ
１５  粘着層
【図１】
0003172622.tif 000003
【図２】
0003172622.tif 000004
【図３】
0003172622.tif 000005